(57)【要約】  多目的ランセット器具のランセット供給源（２８）が、テープ（２２）によって運ばれ、続いて屈曲部（３９）を周ってテープが進行されることにより、保管位置から動作位置まで運ばれる。ランセットは、長手方向の全長に沿った横断面図において非円形であり、動作位置において、ランセットがテープから伸び、ランセットの鋭利な先端（３１）が、刺入組織に使用できる。搬送テープは、切開開口部を有するハウジング内で、リールツーリールの構造に配置される。ランセットは、テープと統合可能であり、テープをテープの経路に沿って動かすか、またはテープの専用のサービスループを移動することにより、ランセットが切開開口部から動かされる。ランセットは、また、テープと独立でき、別個のランシング作動機によって、切開開口部を通して動作される。検査媒体は、搬送テープ上に形成可能であり、ハウジングは、ランシングおよび検査を統合して行なう器具を製造するために、センサーを有してなることもできる。
2007535388.tif 000002
【特許請求の範囲】
【請求項１】
少なくとも１つの屈曲部が搬送テープの作動区画に存在するところの全長をもち、供給区画と、保管区画と、該供給区画と該保管区画とのあいだの前記作動区画とを画定している搬送テープと、
ランセットの全長のかなりの部分の断面が非円形であり、おのおののランセットが近位部と遠位部と該全長を備え、該遠位部が搬送テープの該供給区画内にあるときに体液で汚染されていない鋭利な先端を備えている、テープの該全長に沿って搬送される複数のランセットと、
を具備した体液を採取するための多目的用具であり、
前記搬送テープの前記供給区画内のランセットが、搬送テープを基準として保管位置にあり、
前記搬送テープの前記作動区画内の前記屈曲部に隣接しているランセットが、前記搬送テープを基準として作動位置にあり、
前記作動位置は、体液標本を取得するため組織を切開できるよう、前記搬送テープの隣接表面から離れた方向に、前記鋭利な先端部を伸ばし、
前記テープの送りによって、前記供給区画から前記動作区画に搬送されるときに、前記ランセットの近位部が該ランセットの鋭利な先端に先行するように、前記ランセットが前記搬送テープ上に配向されている
ことを特徴とする体液を採取するための多目的用具。
【請求項２】
前記搬送テープが切開開口部を形成しているハウジング内に内蔵され、前記作動位置にある前記ランセットの前記鋭利な先端が、組織を切開できるように前記切開開口部の方向に取り付けられていることを特徴とする請求項１記載の用具。
【請求項３】
前記搬送テープの前記供給区画が供給リールの周囲に巻き付けられ、前記搬送テープの前記保管区画が保管リールの周囲に巻き付けられていることを特徴とする請求項２記載の用具。
【請求項４】
前記供給リールと前記保管リールとが、実質的に平行である軸を中心に回転するようハウジング内に実装されていることを特徴とする請求項３記載の用具。
【請求項５】
前記供給リールと前記保管リールの回転軸に、前記搬送テープから作動位置にある前記ランセットの前記鋭利な先端が実質的に垂直方向に伸びていることを特徴とする請求項４記載の用具。
【請求項６】
前記ランセットの前記近位部が、前記搬送テープと一体化されていることを特徴とする請求項２記載の用具。
【請求項７】
前記搬送テープ内の前記屈曲部が、前記搬送テープのサービスループの一部であり、前記サービスループが前記供給リールと前記保管リールの少なくとも１つを基準として平行動作可能であることを特徴とする請求項６記載の用具。
【請求項８】
組織を切開して体液標本を取得できるように、前記作動位置にある前記ランセットをすばやく送ってから引き戻すため、前記サービスループを選択的に平行移動させるよう構成された作動部材をさらに具備することを特徴とする請求項７記載の用具。
【請求項９】
前記サービスループが、前記旋回部材の回転軸からホイールの回転軸がオフセットしている前記旋回部材上で回転可能なように実装されている前記ホイールに隣接していることを特徴とする請求項８記載の用具。
【請求項１０】
前記保管位置にあるランセットが撓み、前記作動位置におけるランセットが略直線をなすことを特徴とする請求項１記載の用具。
【請求項１１】
前記搬送テープが、その全長に沿って中心線を形成し、前記ランセットが、前記搬送テープの中心線に略平行である前記搬送テープのスロット内に、スライド可能に配置されることを特徴とする請求項１記載の用具。
【請求項１２】
前記作動位置にあるランセットと連動するときに、前記スロット内の前記ランセットを選択的に送ってから引き戻すように動作可能である、偏向アクチベータをさらに具備することを特徴とする請求項１１記載の用具。
【請求項１３】
搬送テープ上を搬送される複数の検査媒体をさらに具備し、少なくとも１つの検査媒体が複数のランセットのおのおのと連合されること特徴とする請求項１記載の用具。
【請求項１４】
少なくとも前記供給区画にあるときに、前記検査媒体がカバーの下に置かれていることを特徴とする請求項１３記載の用具。
【請求項１５】
前記カバーの少なくとも一部が、作動位置にあるランセットの鋭利な先端によって孔が開けられるように適合されていることを特徴とする請求項１４記載の用具。
【請求項１６】
前記体液の少なくとも１つの特性を判定できるように、前記カバーを通じて前記検査媒体を分析するためのセンサーをさらに具備していることを特徴とする請求項１３記載の用具。
【請求項１７】
前記ランセットが、前記保管位置にあるときに前記ランセットの前記鋭利な先端を保護するための滅菌カバーをさらに具備していることを特徴とする請求項１記載の用具。
【請求項１８】
ランセット開口部を備えた、供給リールと保管リールとを内蔵するハウジングと、
前記供給リールから前記保管リールへ、リールツーリール形式で搬送できるように構成されている長い可撓性搬送テープと、
それぞれがランセットの全長と、鋭利な先端を形成している遠位部とを備えている、前記テープの部材に沿って順次配置された複数のランセットと、
を具備した多目的切開用具であり、
前記ランセット上のかなりの部分の断面が非円形をなし、
前記ランセットの少なくとも前記遠位部が、搬送テープを基準としてランセット保管位置からランセット作動位置に移動可能であり、
前記供給リールの周囲に巻き付いているときには、ランセットが前記保管位置にあり、
前記供給リールと前記保管リールとのあいだで、前記搬送テープの屈曲部に隣接しているときには、前記ランセットが前記作動位置にあり、
前記作動位置にあるランセットの前記鋭利な先端が、前記搬送テープから間隔をあけて置かれ、前記ハウジングの前記切開開口部の方向を向いている
ことを特徴とする多目的切開用具。
【請求項１９】
前記ランセットの全長のかなりの部分の断面のアスペクト比が高いことを特徴とする請求項１８記載の用具。
【請求項２０】
前記ランセットの全長が、実質的にランセットの幅より大きいことを特徴とする請求項１９記載の用具。
【請求項２１】
前記保管位置にあるときにランセットの輪郭がカーブし、前記作動位置にあるときに概して直線をなしていることを特徴とする請求項１８記載の用具。
【請求項２２】
少なくとも１つの検査媒体が前記複数のランセットのそれぞれと関連づけられている、前記テープ上で搬送される複数の検査媒体をさらに具備することを特徴とする請求項１８記載の用具。
【請求項２３】
ランセットが体液標本を関連づけられた検査媒体に搬送するための毛管溝を備えていることを特徴とする請求項２２記載の用具。
【請求項２４】
前記検査媒体が、光センサーから放出される光を透過するカバーの下に配置されていることを特徴とする前記光センサーをさらに具備していることを特徴とする請求項２３記載の用具。
【請求項２５】
供給リールから保管リールへ、リールツーリール形式で搬送できるように構成された、前記供給リールと、前記保管リールと、前記搬送テープ、および、
おのおのが、長さが長く鋭利な先端をもつ本体を有する複数のランセットと、
を具備するランセット供給源であって、
おのおののランセットの本体のかなりの部分の断面が非円形をなしており、
前記搬送テープ沿いに前記ランセットが間隔を開けて配置され、前記ランセットが前記保管リール上に送られたときに、おのおののランセットの前記本体の少なくとも一部が前記ランセットの前記先端をリードできるように該ランセットの先端が配置される
ことを特徴とするリールツーリール形式のランセット供給源。
【請求項２６】
前記ランセットのかなりの部分が実質的に平面状であることを特徴とする請求項２５記載のランセット供給源。
【請求項２７】
前記ランセットの前記本体の全長の大部分に沿った断面の幅が、少なくとも厚さの３倍であることを特徴とする請求項２６記載のランセット供給源。
【請求項２８】
前記ランセット本体の前記全長の大部分に沿って、ランセットが平面状をなしていることを特徴とする請求項２７記載のランセット供給源。
【請求項２９】
前記ランセットが、平面テープの各部分を除去することによって形成されていることを特徴とする請求項２７記載のランセット供給源。
【請求項３０】
前記搬送テープが前記供給リールと前記保管リールとのあいだに動作区画を形成しており、前記動作区画は前記搬送テープ内の少なくとも１つの屈曲部を含んでいることを特徴とする請求項２５記載のランセット供給源。
【請求項３１】
前記搬送テープの前記動作区画における前記屈曲部に隣接している前記ランセットが作動位置にあり、前記作動位置は体液標本を取得するため組織を切開できるよう前記搬送テープの隣接表面から伸びている鋭利な先端を備えていることを特徴とする請求項３０記載のランセット供給源。
【請求項３２】
切開開口部を形成する前記切開開口部に隣接した搬送テープの作動区画に、体液で汚染されていないランセットを含む供給リールから、複数のランセットを順次運搬するよう構成された搬送テープを内蔵しているハウジングを具備した多目的用具であり、
前記ランセットのおのおのが、鋭利な先端をもつ遠位部を備え、
前記おのおののランセットの全長のかなりの部分の断面が、非円形をなしており、
前記ランセットが前記搬送テープ上に配置され、前記ランセットの近位部が、前記供給リールから前記作動位置に前記遠位部をリードする
ことを特徴とする体液を採取するための多目的用具。
【請求項３３】
前記ランセットが前記テープ部材上にスライド可能なように配置されていることを特徴とする請求項３２記載の多目的採取用具。
【請求項３４】
前記テープ部材がスロットを備え、前記ランセットが前記スロット内でスライドすることを特徴とする請求項３３記載の多目的採取用具。
【請求項３５】
作動するときに、保持カバーと前記テープ部材の表面間で前記ランセットがスライドし、前記ランセットの少なくとも一部を覆う保持カバーをさらに具備していることを特徴とする請求項３３記載の多目的採取用具。
【請求項３６】
前記ランセットの前記鋭利な先端で組織に孔を開けられるように、前記テープ沿いに前記ランセットを前後にスライドさせるためのアクチュエーターをさらに具備していることを特徴とする請求項３３記載の多目的採取用具。
【請求項３７】
前記ランセットが前記テープと一体化していることを特徴とする請求項３２記載の多目的用具。
【請求項３８】
前記ランセットによって取得された体液の少なくとも１つの特性を検出できるように前記ランセットのそれぞれと関連づけられた少なくとも１つの検査媒体を前記搬送テープが含んでいることを特徴とする請求項３７記載の多目的用具。
【請求項３９】
各ランセットの全長のかなりの部分の断面のアスペクト比が高いことを特徴とする請求項３１記載の多目的用具。
【請求項４０】
前記全長の主要な部分に沿った断面が非円形をなしている複数のランセットを搬送するリールツーリールテープを提供する工程と、
第１のランセットの鋭利な先端が、前記テープを送ることにより、前記テープから間隔を開けて配置されるように、第１のランセットを前記テープ内の屈曲部に隣接して位置付けする工程と、
前記第１のランセットの前記鋭利な先端で組織に孔を開ける工程と、
孔を開けた後に、前記テープを送り、前記第１のランセットの前記鋭利な先端を前記テープに接近させる工程と
を有することを特徴とする体液標本を取得するための方法。
【請求項４１】
孔を開けた後で、前記テープから間隔を開けて配置された鋭利な先端をもつ第２のランセットを前記テープ内の屈曲部に隣接した位置に配置する工程と、前記第２のランセットの前記鋭利な先端部で組織に孔を開ける工程とをさらに有することを特徴とする請求項４０記載の方法。
【請求項４２】
前記テープによって搬送されている検査媒体と、前記孔を開ける工程から生成される体液とを接触させる工程をさらに有することを特徴とする請求項４０記載の方法。
【請求項４３】
前記検査媒体と接触させるため前記ランセット内の毛管溝に沿って前記体液が平行移動することを特徴とする請求項４２記載の方法。
【請求項４４】
前記テープ送りの方向から離れた方向を鋭利な先端が指示した状態で、前記ランセットが前記テープ上を搬送されることを特徴とする請求項４０記載の方法。
【請求項４５】
テープのサービスループ部内の屈曲部に隣接した位置に、前記テープによって搬送される第１のランセットを配置する工程と、
前記テープの前記サービスループ部を相対的に移動させ、前記第１のランセットで組織を切開する工程と
を有することを特徴とする体液標本を取得するための方法。
【請求項４６】
前記相対的移動が、旋回部材を旋回させる工程を含むことを特徴とする請求項４５記載の方法。
【請求項４７】
前記相対的平行移動工程の後、前記サービスループ内の前記屈曲部に隣接して、第２のランセットを配置する前記テープを送り、前記第２のランセットで組織を切開する工程をさらに有することを特徴とする請求項４５記載の方法。
【請求項４８】
全長の主要な部分沿いの断面が非円形をなしている複数のランセットを搬送するテープを提供する工程と、
前記テープのサービスループ部を相対的に移動することによって第１のランセットで組織を切開する工程と、
を有することを特徴とする体液標本を取得するための方法。
【請求項４９】
前記第１のランセットで切開した後に、前記テープを送る工程と、次いで前記テープの前記サービスループ部を相対的に平行移動することによって第２のランセットで組織を切開する工程とを有することを特徴とする請求項４８記載の方法。
【請求項５０】
少なくとも１つの屈曲部を形成するテープの経路に沿ってテープによって搬送される滅菌ランセット供給源を具備した用具であって、
おのおののランセットがその全長を基準として、さまざまな方向にさまざまな可撓度をもってなるように、前記ランセットが該全長と、その全長に沿った非円形の断面とを有し、
前記屈曲部に隣接したランセットが、組織を切開できるように、前記テープから略直線的に伸びており、
前記屈曲部に隣接していないランセットが、コンパクトに保管できるように、非直線的方向に撓む
ことを特徴とする組織を切開するための用具。
【請求項５１】
前記テープによって搬送された検査媒体供給源をさらに具備することを特徴とする請求項５０記載の用具。
【請求項５２】
前記検査媒体上を遮蔽する層をさらに具備することを特徴とする請求項５１記載の用具。
【請求項５３】
前記遮蔽層が、切開する前に、前記ランセットによって孔が開けられるように適合されることを特徴とする請求項５２記載の用具。
【請求項５４】
非直線方向に撓んでいる前記ランセットが、供給リールの周囲に巻き付いていることを特徴とする請求項５０記載の用具。
【請求項５５】
前記ランセットが、それらの全長の主要な部分に沿って実質的に平面状をなしていることを特徴とする請求項５４記載の用具。
【請求項５６】
前記少なくとも１つの屈曲部が、前記テープの残りの部分を基準として独立して平行移動可能な前記テープのサービスループ部分であることを特徴とする請求項５０記載の用具。
【請求項５７】
テープ上にランセット供給源を有する多目的切開用具を提供する工程と、
撓んだ方向から略直線方向に第１のランセットを移動させる工程と、
前記略直線方向の第１のランセットで、組織を切開する工程と、
後続の切開を行えるように、撓んだ方向から略直線方向に第２のランセットを移動させる工程と
を有する方法。
【請求項５８】
撓んだ方向では、ランセットが供給リールの周囲に巻き付いていることを特徴とする請求項５７記載の方法。
【請求項５９】
弁の素材が、前記ランセットの第１の側面に接触し、毛管溝の少なくとも一部を遮蔽しており、縦方向に伸びた毛管溝を形成する前記第１の側面を有するランセットを提供する工程と、
体液の少なくとも１つの特性を判定できるように、前記弁の下の毛管現象によって、前記体液を検査媒体まで搬送する工程と、
を有することを特徴とする体液標本の特性を判定するための方法。
【請求項６０】
前記ランセットの前記第１の側面が、概して平面状をなしていることを特徴とする請求項５９記載の方法。
【請求項６１】
前記ランセットに接触する、前記弁の素材の少なくとも一部が、毛管現象移動を促進するため親水性を備えていることを特徴とする請求項５９記載の方法。
【請求項６２】
前記弁の素材が、前記ランセットで遮蔽層を穿孔することによって、作成されていることを特徴とする請求項５９記載の方法。
【請求項６３】
前記ランセットが、テープによって搬送される多重ランセットの１つであることを特徴とする請求項６２記載の方法。
【請求項６４】
相互に接続したランセット供給源と、検査媒体供給源と、少なくとも１つのボタンとを具備した手持ち式器具を供給する工程と、
少なくとも１つのボタンを押して、自動化体液収集および検査サイクルを開始する工程と、
プロンプトに応答して少なくとも１つのボタンを押して、前記サイクルを続行する工程と、
を有する方法であって、
前記自動化サイクルが、
ａ）ランセットを前記ランセット供給源から作動位置へ配置する工程と、
ｂ）前記体液標本を取得できるように、前記ランセットを作動させる工程と、
ｃ）前記体液標本が受け入れられるように、前記検査媒体供給源から検査媒体を配置する工程と、
ｄ）前記検査媒体に前記体液標本を接触させる工程と、
ｅ）前記検査媒体に信号を送る工程と、
ｆ）前記信号に基づいて、前記体液標本の少なくとも１つの特性を表示する工程と、
を有することを特徴とする方法。
【請求項６５】
前記サイクルを続行させる工程が、ｂ）前記ランセットを作動させる工程を含むことを特徴とする請求項６４記載の方法。
【請求項６６】
前記ランセット供給源が、リールツーリール形式によりテープ上で搬送されることを特徴とする請求項６４記載の方法。
【請求項６７】
前記検査媒体供給源も、前記テープ上で搬送されることを特徴とする請求項６６記載の方法。
【請求項６８】
前記サイクルが、工程ｂ）で使用された前記ランセットを保管部まで移動させる工程ｇ）をさらに含むことを特徴とする請求項６４記載の方法。
【請求項６９】
前記自動化サイクルが、工程ｇ）で使用された前記検査媒体を保管部まで移動させる工程ｈ）をさらに含むことを特徴とする請求項６４記載の方法。
【請求項７０】
前記ランセットのうち未使用のランセット上に取り外し可能なカバーをさらに具備することを特徴とする請求項１、１８、２５、３２または５０記載の用具。
【請求項７１】
前記取り外し可能なカバーが実質的に連続したストリップの形状をしている、前記ランセットのうち未使用のランセット上に取り外し可能なカバーをさらに具備することを特徴とする請求項１、１８、２５、３２または５０記載の用具。
【請求項７２】
前記ランセットのうち未使用のランセット上に取り外し可能なカバーと、使用する前に前記ランセットから前記取り外し可能なカバーを剥ぎ取るテークアップリールとをさらに具備することを特徴とする請求項１、１８、２５、３２または５０記載の用具。
【請求項７３】
前記ランセットのうち未使用のランセット上に取り外し可能なカバーと、使用する前に前記ランセットから前記取り外し可能なカバーを剥ぎ取るテークアップリールと、使用済みランセット上に前記カバーを再配置する再適用リールとをさらに具備することを特徴とする請求項１、１８、２５、３２または５０記載の用具。
【請求項７４】
前記ランセットが、硬化ステンレススチールからなることを特徴とする請求項１、１８、２５、３２または５０記載の用具。
【請求項７５】
前記ランセットが、形状記憶合金からなることを特徴とする請求項１、１８、２５、３２または５０記載の用具。
【請求項７６】
搬送テープの作動区画に少なくとも１つの屈曲部を有する全長をもち、供給区画と、保管区画と、該供給区画と該保管区画とのあいだの前記作動区画とを形成する搬送テープと、
ランセットの全長のかなりの部分の断面が非円形状をなしており、それぞれのランセットが近位部と、遠位部と、前記全長とを備え、該遠位部が前記搬送テープの前記供給区画にあるときには、体液で汚染されていない鋭利な先端を有してなる前記テープの前記全長に沿って搬送される複数のランセットと、
前記搬送テープの前記供給区画内にあるランセット上の取り外し可能カバーと、
を具備する多目的切開用具であって、
前記ランセットが前記テープの送りによって前記供給区画から前記作動区画へ搬送されるときに、該ランセットの前記近位部が該ランセットの鋭利な先端に先行するよう、前記ランセットが前記搬送テープ上に配向されている
ことを特徴とする体液を採取するための多目的切開用具。
【請求項７７】
前記搬送テープの作動区画内の前記屈曲部に隣接したランセットが、前記搬送テープを基準とした作動位置にあり、前記作動位置は、前記体液標本を取得する目的で組織を切開するための前記搬送テープの隣接面から伸びる鋭利な先端を具備していることを特徴とする請求項７６記載の用具。
【請求項７８】
前記ランセットが硬化ステンレススチールまたは形状記憶合金からなることを特徴とする請求項７６に記載の用具。
【請求項７９】
前記ランセットがニッケル−チタン合金からなることを特徴とする請求項７８記載の用具。
【請求項８０】
前記搬送テープにおける前記供給部が供給リールに巻き付いており、前記搬送テープの前記保管部が保管リールに巻き付いていることを特徴とする請求項７６記載の用具。
【請求項８１】
前記搬送テープ内の前記屈曲部が、前記搬送テープのサービスループの一部であり、前記サービスループが、前記供給リールと前記保管リールの少なくとも１つを基準として平行移動可能であることを特徴とする請求項８０記載の用具。
【請求項８２】
前記ランセットの前記近位部が前記搬送テープと一体化していることを特徴とする請求項７６記載の用具。
【請求項８３】
前記取り外し可能なカバーが、実質的に連続したストリップであり、前記搬送テープから前記取り外し可能なカバーを剥ぎ取るテークアップリールをさらに具備していることを特徴とする請求項７６記載の用具。
【請求項８４】
前記取り外し可能なカバーが、前記テープの前記保管区画内のランセット上に再配置されることを特徴とする請求項８３記載の用具。
【請求項８５】
ランセット開口部を備え、供給リールと保管リールとを内蔵したハウジングと、
前記供給リールから前記保管リールへリールツーリール形式の搬送向けに構成された長い可撓性搬送テープと、
おのおのが、ランセットの全長と、鋭利な先端を形成している遠位部とを備えた前記搬送テープに沿って順次配置されている複数のランセットと、
前記供給リール内の前記ランセット上の前記取り外し可能な滅菌カバーと、
前記ランセットが前記供給リールから前記保管リールへ送られるときに、前記ランセットから前記カバーを取り外すテークアップリールと、
を具備していることを特徴とする多目的切開用具。
【請求項８６】
前記ランセットのかなりの部分の断面のアスペクト比が高いことを特徴とする請求項８５記載の用具。
【請求項８７】
前記ランセットが、硬化ステンレススチールまたは形状記憶合金で構成されていることを特徴とする請求項８５記載の用具。
【請求項８８】
前記保管リール上で送られている前記ランセットにカバーを配置するカバー適用リールをさらに具備することを特徴とする請求項８５記載の用具。
【請求項８９】
前記テークアップリールによって前記ランセットから除去された前記カバーが、前記カバー適用リールによって前記ランセット上に配置されることを特徴とする請求項８８記載の用具。
【請求項９０】
少なくとも１つの検査媒体が前記複数のランセットのそれぞれと関連付けられた、テープ上で搬送される複数の検査媒体を具備することを特徴とする請求項８５記載の用具。
【請求項９１】
前記ランセットが、関連付けられた検査媒体まで体液標本を運搬する毛管溝を備えていることを特徴とする請求項８５記載の用具。
【請求項９２】
供給リールと、保管リールと、前記供給リールから前記保管リールへのリールツーリール形式での搬送向けに構成された搬送テープと、
前記供給リールに巻き付き、非直線方向に撓む第１のランセットと、
前記供給リールと前記保管リールとのあいだの、略直線方向をなす前記搬送テープ上の第２のランセットと、
少なくとも前記第１のランセット上にあって前記第２のランセット上には無い取り外し可能カバーと、
を具備することを特徴とするリールツーリール形式でのランセット供給源。
【請求項９３】
前記供給リールの周囲に巻き付き、非直線方向に撓んだ複数の第１のランセットが存在することを特徴とする請求項９２記載のランセット供給源。
【請求項９４】
前記ランセットが、硬化ステンレススチールまたは形状記憶合金から構造化されていることを特徴とする請求項９３記載のランセット供給源。
【請求項９５】
前記取り外し可能カバーが、実質的に連続したストリップの形態をとっていることを特徴とする請求項９２記載のランセット供給源。
【請求項９６】
前記実質的に連続したストリップが、前記供給リールの周囲に巻き付いた第１の部分と、前記保管リールの周囲に巻き付いた第２の部分とを備えることを特徴とする請求項９５記載のランセット供給源。
【請求項９７】
前記第２のランセットのかなりの部分が実質的に平面状であることを特徴とする請求項９２記載のランセット供給源。
【請求項９８】
前記第１のランセットと第２のランセットが、前記搬送テープと一体化していることを特徴とする請求項９２記載のランセット供給源。
【請求項９９】
切開開口部を形成し、体液で汚染されていないランセットを内蔵する供給リールから前記切開開口部に隣接している前記搬送テープの作動区画に複数のランセットを順次搬送するように構成された搬送テープを内蔵したハウジングと、
前記供給リールの前記ランセット上の取り外し可能カバーと、
を具備した体液標本を採取するための多目的用具であって、
該ランセットがおのおのの遠位部に鋭利な先端を備え、おのおののランセットの全長のかなりの部分の断面が非円形であり、
前記ランセットが、近位部が、前記供給リールから前記作動区画に前記遠位部をリードできるように、前記搬送テープ上に配置されている
ことを特徴とする体液標本を採取するための多目的用具。
【請求項１００】
前記ランセットが前記テープ部材上でスライド可能なように配置されていることを特徴とする請求項９９記載の多目的用具。
【請求項１０１】
前記ランセットが前記テープと一体化していることを特徴とする請求項９９記載の多目的用具。
【請求項１０２】
前記ランセットによって取得された前記体液の少なくとも１つの特性を検出するため、前記ランセットのそれぞれと関連付けられた少なくとも１つの検査媒体を、前記搬送テープが備えていることを特徴とする請求項９９記載の多目的用具。
【請求項１０３】
使用前に水分の汚染から前記検査媒体を保護できるように、前記取り外し可能カバーが、前記供給リール内の検査媒体上に置かれることを特徴とする請求項１０２記載の多目的用具。
【請求項１０４】
全長の主要な部分に沿った断面が非円形をなす複数のランセットを搬送するリールツーリール形式のテープを提供する工程と、
第１のランセットから滅菌カバーを取り除く工程と、
前記テープから間隔を置いて配置された前記第１のランセットの鋭利な先端をもつ前記テープ内の屈曲部に隣接して、前記第１のランセットを配置できるよう前記テープを送る工程と、
前記第１のランセットの前記鋭利な先端で組織に孔を開ける工程と、
該孔を開けた後に、前記第１のランセットの前記鋭利な先端を前記テープの近くまで移動させるように送る工程と、
を有することを特徴とする体液標本を採取するための多目的用具。
【請求項１０５】
孔を開けた後に、前記テープから間隔を置いて配置された前記第２のランセットの前記鋭利な先端をもつ前記テープ内の前記屈曲部に隣接して、第２のランセットを配置する工程をさらに有することを特徴とする請求項１０４記載の方法。
【請求項１０６】
孔開け工程から生成された体液を前記テープによって搬送される検査媒体と接触させる工程をさらに有することを特徴とする請求項１０４記載の方法。
【請求項１０７】
前記検査媒体に接触できるように、前記体液が、前記ランセット内の毛管溝に沿って平行移動することを特徴とする請求項１０６記載の方法。
【請求項１０８】
テープの送り方向から離れた方向をそれらの鋭利な先端が指示した状態で、前記ランセットが前記テープ上で搬送されることを特徴とする請求項１０４記載の方法。
【請求項１０９】
テープによって搬送される第１のランセットから滅菌カバーを取り外す工程と、
前記テープのサービスループ部内の屈曲部に隣接して前記第１のランセットを配置する工程と、
前記第１のランセットで組織を切開できるように、前記テープの前記サービスループ部を相対的に移動させる工程と、
を有することを特徴とする体液標本を取得するための方法。
【請求項１１０】
相対的平行移動工程に、旋回部材を旋回させる工程が含まれていることを特徴とする請求項１０９記載の方法。
【請求項１１１】
相対的平行移動工程後に、前記サービスループ内の前記屈曲部に隣接して、第２のランセットを配置する位置まで前記テープを送る工程と、前記第二のランセットで組織を切開する工程とをさらに有することを特徴とする請求項１０９記載の方法。
【請求項１１２】
前記ランセット供給源の１つの少なくとも先端が、滅菌カバーの下に置かれ、少なくとも１つの屈曲部を形成しているテープの経路に沿って、テープによって搬送される滅菌ランセット供給源を具備し、
前記ランセットが全長をもち、おのおののランセットがそれら全長を基準としてさまざまな方向に、実質的にさまざまな可撓度をもつよう、該全長に沿った断面が非円形をなしており、
前記屈曲部に隣接したランセットが、組織を切開できるように、前記テープから略直線的に伸びており、
前記屈曲部に隣接していないランセットが、コンパクトに保管できるように、非直線方向に撓む
ことを特徴とする組織を切開するための用具。
【請求項１１３】
前記テープによって搬送される検査媒体の供給源をさらに具備することを特徴とする請求項１１２記載の用具。
【請求項１１４】
前記滅菌カバーが、切開前にランセットによって孔が開けられるよう適合されていることを特徴とする請求項１１２記載の用具。
【請求項１１５】
使用できるようにランセットを露呈させるため、前記滅菌カバーを前記テープから剥ぎ取るように適合されていることを特徴とする請求項１１２記載の用具。
【請求項１１６】
前記ランセットが、それらの全長の主要な部分に沿って実質的に平面状であることを特徴とする請求項１１２記載の用具。
【請求項１１７】
前記少なくとも１つの屈曲部が、前記テープの残りの部分を基準として、独立して平行移動可能な前記テープのサービスループの一部であることを特徴とする請求項１１２記載の用具。
【請求項１１８】
ランセット供給源の少なくとも１つの先端が滅菌カバーの下に置かれるように、テープ上に該ランセット供給源を備える多目的用具を提供する工程と、
撓んだ方向から略直線方向に第１のランセットを移動させる工程と、
略直線方向を向いた前記第１のランセットで組織を切開する工程と、
後続の切開工程のため撓んだ方向から略直線方向に第２のランセットを移動させる工程と、
を有する方法。
【請求項１１９】
撓んだ方向を向いた前記ランセットが、供給リールの周囲に巻き付いていることを特徴とする請求項１１８記載の方法。
【発明の詳細な説明】
【技術分野】
【０００１】
本発明は、概して体液採取に関し、より詳細には、テープによって運ばれる滅菌ランセットを供給する体液採取用具に関する。
【背景技術】
【０００２】
体液の収集と検査は、さまざま用途に役立ち、医学的診断や治療ならびにその他の多種多様な用途でますます重要性が高まってきている。医療分野では、専門外の当事者が検査施設以外の場所で、迅速かつ再生可能な方法で日常的に検査を行い、即時に検査結果が判定されてその検査結果情報が読み取れることが望まれている。検査は、血液および／または間質液など、各種体液について実施されている。このような体液については、体液そのものまたは体液に含有されている検体の各種特性を検査することで、病状の特定、治療反応の判定、治療の進展状況の評価が可能となる。
【０００３】
体液検査では、はじめに体液試料を取得する。体液試料を収集する１つの方法では、静脈または動脈に中空針あるいはシリンジを挿入して、血液試料を抜き取る。ただし、このような血液を直接血管から採取する方法は、痛み、感染、血腫およびその他の出血性の合併症状など、いくつかの制約条件を伴う可能性がある。さらに、血液を直接血管から採取する方法は、日常的に繰り返して実施する事例には適せず、非常に困難であり、患者自身が行うことは勧められない。
【０００４】
血液試料やその他の体液試料を収集するための共通の技法として、皮膚に切開部を形成して、表皮まで体液を浮き出させる方法がある。この技法によると、針、メス、またはその他の切開用具などのランセットを用いて、表皮に切開部を形成する。次に、得られた血液試料または間質液試料を、細い管またはその他の容器内に収集するか、またはテストストリップに直接接触させるか、あるいは他の方法で分析を行う。ランセットは、鋭利であることが必要不可欠であるため、切開用具は、通常、怪我や汚染を回避するために、使用していないときにはランセットを保護するように構造化されている。
【０００５】
しかし、既存の多くのランセットは、一般に、１つのランセットだけ保持するように設計されており、切開後には、次に切開を行う前に、ランセットを手作業で交換しなくてはならない。特に、個人が一日に数回試料を取得する必要がある場合など、個別のランセット供給源を搬送したり、各切開ごとに個別の用具を使用する際には、これらの用具では非効率的であり、不便でもある。内蔵型多目的切開用具であれば、使用済みのランセットを手作業で交換するという問題を回避できるが、小型で専門家以外の当事者が簡単に使用でき、しかも製造費用が安価であるようなランセットを安全かつ高い信頼性の下に取り扱える多目的切開用具を開発せねばならないという課題が残されている。したがって、当技術分野には、このような課題の一部またはすべてに適合する多目的切開用具に関するニーズが存在している。本発明に示す１つの形態は、このニーズに対応し、専門家以外の当事者が簡単にしかも安全に使用でき、製造費用効率のよい多目的切開用具を提供する。本発明に関する他の形態は、当技術分野における別の応用技術を提供している。
【発明の開示】
【０００６】
本発明は、単独で、あるいは得られた体液の検査と組み合わせて、組織を切開する新規な装置と技法を提供する。明細書で述べる本発明の実際の内容は、付記された特許請求の範囲を参照して判断されるが、本明細書に開示されている実施例の特長を示す本発明の特定の態様について、以下に簡単に説明する。
【０００７】
１つの態様によれば、本発明は、テープ上に装備した新規なランセット供給源を提供する。
【０００８】
もう１つの態様によれば、本発明は、体液試料を取得するための新規な装置および技法を提供する。
【０００９】
さらにもう１つの態様によれば、テープ上にランセットを供給する新規な方法と、組織を切開する新規な方法が開示されている。
【００１０】
これらの態様とその他の態様について、以下に論じる。
【発明を実施するための最良の形態】
【００１１】
本発明の特性は、特に、特許請求の範囲に指摘されているが、発明そのものおよび製造ならびに使用の方法については、以下の説明を、説明の一部を構成する添付図面と関連付けて参照することによって、好適に理解される。
【００１２】
本発明の原理を理解しやすくするために、次に図面に示されている実施例を参照するが、これらの実施例の説明には、特定の言語を使用する。しかしながら、このことにより、本発明の対象範囲を制限することは意図していないことを理解すべきである。図示されている用具に対する改造や変更、そして本仕様書に図示されているような本発明の原則のさらなる用途は、本発明に関係する当業者が通常予期できるように、当然予期される。
【００１３】
１つの形態では、本発明は、体液を採取するための小型のランセット供給源を提供する。ランセットは、非円形の断面をもち、屈曲部を中心としてテープを送ることによって、ランセットを保管位置から作動位置へ順次移動させることができるように、搬送テープ上に配置されている。作動位置では、ランセットがテープから伸びており、組織の切開にこれらの鋭利な先端を利用できるいっぽうで、保管位置では、コンパクトに保管できるように、ランセットは、一般に、搬送テープと整合させてある。搬送テープは、切開開口部(lancing opening)を形成しているハウジングに内蔵されており、切開工程では、作動位置にあるランセットの鋭利な先端がすばやく送られ、切開開口部を通過して引き戻されるため、隣接組織を貫通し、体液試料を入手できる。切開工程後には、テープの送りによって、使用済みのランセットが保管位置に戻され、次のランセットが作動位置に配置されて、後続の切開に備える。
【００１４】
以下に詳しく述べるように、ランセットを送ってから引き戻すことにより切開動作を生じさせるのに、さまざまな機構を採用できる。たとえば、特定の実施例では、ランセットをテープと一体化し、テープを急激に動作させることによって、ランセットに切開動作を生じさせている。１つ形態では、テープ全体をそのテープの経路沿いに移動させるいっぽうで、もう１つの形態では、切開動作時に、テープのサービスループだけを作動させる。他の実施例では、ランセットをテープと一体化しない場合、独立したアクチュエーターを用いて、ランセットを連動させ、切開動作時に、隣接したテープの動作とは無関係に該ランセットを移動させることができる。
【００１５】
次に、図１に戻ると、ランセットがテープと一体化している１つの実施例による、ランセット供給源が描かれている。用具２０は、搬送テープ２２と、テープ２２の全長に沿って順次配置されている複数のランセット２８とを具備している。ランセット２８はそれぞれ、近位部(proximal portion)３０と、遠位部(distal portion)２９と、遠位部２９の遠位端にある鋭利な先端部３１とを具備している。テープ２２は全長にわたり、供給源区画(supply section)３４と、その後ろの作動区画(activating section)３２と、その後ろの保管区画(storage section)３６を具備している。供給区画３４は、供給リール２４の周囲に巻き付けられており、保管区画３６は、保管リール２６の周囲に巻き付けられている。作動区画３２では、テープ２２が、ホイール３８の周囲を通過して、テープ２２の経路に屈曲部(bend)３９を形成する。
【００１６】
上記のように、この実施例では、ランセット２８は、テープ３２と一体化している。さらに詳細には、ランセット２８の近位部３０は、テープ２２と一体化されているいっぽうで、遠位部２９は、ランセットが作動位置にあるときには、テープ２２から開放されて伸びる（以下に詳細に説明）。これは、テープの保管部を、エッチング、穿孔、またはその他の方法で除去して、テープ保管部の同じ部分からテープ２２とランセット２８とを形成し、ランセット２８の輪郭(profile)を形成することによって達成可能である。図１の実施例では、次に、ランセットの近位端をクリンプして、ランセットの本体が、テープ３２の隣接面２３の平面に対し、通常はわずかにオフセットしてはいるが平行になるように配置する。他の実施例では、ランセットを同様に形成されるが、クリンプされないので、これらの実施例では、ランセットは、通常はテープ面３２の平面に配置される。さらに他の実施例では、ランセット２８を独立して形成し、次いで、クリップ、接着剤または溶接によりテープ２２に接着するなどして、テープ２２と一体化する。
【００１７】
ランセット２８とテープ２２はともに薄く、十分に変形可能であるので、供給リール２４から保管リール２６までランセット２８を搬送するテープ２２のリールツーリール方式の搬送が可能である。ランセット２８（およびテープ２２）は、供給リール２４への巻きつきがほどかれると、ほぼ直線状の方位(orientation)に戻れるように、十分な形状記憶能または弾力性を備えた材料で構成されている。したがって、ランセット２２がテープ２２の屈曲部３９に隣接して配置されているときには、その鋭利な先端３１がテープ２２から離れ、切開に利用可能となる。このような配置を、作動位置と称し、図１に示されているように、ランセット２８はその作動位置に配置される。それとは逆に、ランセット２８ａはテープ２２に対応して、別の配置(orientation)にあり、ランセット２８ａのこの別の配置を、本明細書では保管位置(storage position)と称する。
【００１８】
図２を参照すると、用具２０が、切開開口部４２を形成しているハウジング４０内に内蔵されている。切開開口部４２は、作動位置にあるランセット２８の先端３１を受け入れている。用具２０は、供給リール２４、保管リール２６およびホイール３８の回転軸２４ａ、２６ａおよび３８ａのそれぞれが、略平行となるように構成されている。一組のノブ４４と４６が、ランセット２８を送ったり作動させたりするために、供給リール２４と保管リール２６にそれぞれ操作可能なように連結されている。動作中、ノブ４６は、体液で汚染されていない供給リール２４から、作動位置までランセットを搬送するテープ２２を送るのに使用される。先端３１が切開開口部４２の方向を向いた状態で、テープ２２がノブ４４を介して反転し、切開開口部４２からランセット２８を突出させる。使用後、テープ２２は再度前に送られ、使用済みランセット２８を保管リール２６へ移動させる。
【００１９】
切開開口部を通過する先端３１の動作は、ランセットの長手方向の全長を形成している線におおよそ沿った、すばやい前後の動作であることが好ましい。このような動作を切開動作と称する。ノブ４４と４６はそれぞれ、テープ２２をこの経路に沿って前後にすばやく動作させることによってこのすばやい切開動作を行なうために、クラッチと適切なスプリングの偏向機構(spring biasing)を内蔵するよう構成してもよい。テープの経路に沿ってテープ２２を前後に動作させることによって、前後の切開動作を達成する別の方法として、用具２０全体を、前後動作で平行移動するように、ハウジング４０内に実装することができる。さらにもう１つの実施例では、切開工程中、テープ２２の一部だけが動作する。テープ２２の一部だけを相対的に動かして切開動作をする実施例が、図３に示されている。
【００２０】
図３の多目的切開用具１２０は、図１の用具のテープ２２およびランセット２８と同じような方法で構造化された搬送テープ１２２と複数のランセット１２８とを具備している。テープ１２２も同様に、供給リール１２４と保管リール１２６の周囲に巻き付いており、切開開口部１４２のあるハウジング１４０内に実装されている。しかし、図１のテープ２２とは異なり、テープ１２２の作動部が、テープ１２２の残りの部分から独立して移動可能なサービスループとして形成されている。
【００２１】
より詳細には、テープ１２２の作動部は、一組のホイール１１２と１１４の周囲を通過し、該一組のホイールは、自由に回転可能であるが、長手方向の回転動作が連係ロッド(tie rod)１１０と連係する。図４を参照すると、リアホイール１１４の軸１１６がハウジング１４０の案内スロット(guiding slot)内で移動するように構成され、ランセット１２８が動作位置にあるときに（たとえば、図３のランセット１２８）、軸１１６は図３の左側に引っ張られ、スプリング１１９が圧縮される。この圧縮動作により用具が曲げられ、開放時には、スプリング１１９が軸１１６とホイール１１４および１１２を、図３の図面の右側に押し付ける。その結果、ランセット１２８の先端１３１が切開開口部１４２をすばやく通過する。スプリング１１９（または第２の反発スプリング）の反発(recoil)は、ランセット１２８をハウジング内部に引き戻し、次いでノブ１４６が回転して保管リール１２６にテープ１２２を送り、さらに、供給リール１２４から次のランセット１２８を作動位置に配置する。次にこのプロセスを、次回の切開を行えるように繰り返すことができる。
【００２２】
サービスループの使用におけるさらなる態様が、図５に示されている用具２２０では利用されている。多目的切開用具２２０は、切開開口部２４２を形成しているハウジング２４０内に実装された供給リール２２４と保管リール２２６を具備している。レバー２４６が保管リール２２６に連結され、ホイール２１２に隣接した作動位置にランセット２２８を配置できるようテープ２２２を送るのに使用される。ホイール２１２の軸２１１は、ピボットアーム２１３の一端に実装されている。ピボットアーム２１３はピン２０８の周囲を旋回するように形成されており、一組のテープガイド２１０はピボットピン２０８に隣接するアーム２１３に実装されている。ピボットアーム２１３の他端は、図５に示されているように、ピストン２３０の垂直動作が、ピボットアーム２１３の旋回動作に移しかえられる（be translated）ように、ピストン２３０と圧縮スプリング２１９とのあいだの連結機構２１４に接続されている。ピボットアーム２１３と連結機構２１４とのあいだの接続は、アーム２１３がピン２０８を中心に旋回するときに、ピストン２３０の直線動作(linear motion)に対応してピボットアーム２１３が描く弧が収容(accommodate)できるピンインスロット（図示せず）または類似の配置としてもよい。
【００２３】
用具２２０は、２ボタン動作用に構成されている。コッキングボタン(cocking button)２３８は、図５の図面で示されているように、ピストン２３０を下方向に移動させ、スプリング２１９を圧縮させるように作用する。圧縮は、ピストン２３０の凹所(recess)２３２が発射ピン(firing pin)２３４に到達するまで続けられ、この時点で、発射ピン(firing pin)２３４はピストン２３０方向へスプリング２３５によって偏向されるので、発射ピン２３４が凹所２３２に着座し、ピストン２３０を適所に保持する。この位置は、図５に示されている曲がった位置(cocked position)にピボットアーム２１３が配置されるのに関与する。切開の準備が整った時点で、発射ボタン(fire button)２３６を押し、発射ボタンのカム面(cam surface)が発射ピンの対応するカム面と連動し、凹所２３２からピン２３４を引っ込める。これにより、ピストン２３０が開放され、圧縮スプリング２１９の力が、図５の図面に示されているように上側にピストンを移動させる。さらにこの動作は、ピボットアーム２１３の連結機構２１４の末端を上昇させ、ピボットアーム２１３を旋回させるので、これによって開口部２４２を通過してランセット２２８が送られる。スプリングの開放により、アーム２１３は中間位置(intermediate position)に移動し、このときレバー２４６が作動されて、保管リール２２６方向に現在使用されているランセット２２８を送る。
【００２４】
切開後には、体液が収集され、当技術分野で周知のように多種多様な特性や成分の分析を行うことができるということは理解されよう。たとえば、このような分析は、ヘマトクリット値、血糖値、凝固、鉛、鉄などを対象としてもよい。検査装置には、採取された体液を分析するための光学的手段（たとえば、反射、吸収、蛍光、ラマンなど）、電気化学的手段および磁気的手段などの手段を具備する。通常、検査装置は、検査する体液と検査媒体(test media)を接触させ、体液と検査媒体中の試薬とのあいだの反応を利用する。たとえば、光テストストリップは、一般に、色の変化、すなわち使用している試薬系によって形成される色素により吸収または反射される波長における変化を利用する。例として、米国特許３８０２８４２号明細書、４０６１４６８号明細書および４４９０４６５号明細書を参照されたい。
【００２５】
図１〜５の実施例が、体液試料を取得するための独立型切開用具(stand alone lancing device)として図に示されているが、これらおよびその他の実施例は、一つの器具内で切開および検査を行えるように変更可能であることが考えられる。これを達成するための一つのメカニズムが、テープを搬送するランセットのテープ上にテストストリップを組み込み、テストストリップと生成された体液とを接触させたのち、組込みセンサーでテストストリップを分析するという方法である。
【００２６】
図６に戻ると、合同された切開および検査用具が配列されたテープ２７０が図示されている。テープ２７０は、積層したあるいは、熱または圧着式接着剤または溶接などにより融着した複数のテープ層で組み立てられている。ランセット層２６４は、中間層となり、ランセット２６６を提供する。ランセット層２６４は、上記のようにテープストックからランセット２６６をエッチングまたは穿孔(punching)することによって形成される。図６に図示されているように、ランセット２６６は、長手方向の毛管溝２６８を具備しており、該毛管溝は、ランセットの先端または先端付近から始まり、ランセットの全長に沿って伸び、ランセットへの体液の搬送を促進する。ランセット層２６４は、必要に応じて、テープストックの基部層２５０にマウントされ、テープストックの該基部層は、最終加工されたテープ２７０に支持および構造上の剛性を付与する。
【００２７】
検査媒体層２６０は、それぞれのランセット２６６用に、少なくとも一つの検査媒体２６２を搬送する。これは適切なテープストック上に適切な試薬（１種または複数種）をプリントすることによって、または塗ることによって、形成することが可能である。検査媒体層２６０は次に、ランセット層２６４に面している検査媒体２６２とともにランセット層２６４上にマウントされ、層２６４と層２６０間に検査媒体２６２をサンドイッチ状態にはさむことができるようになる。検査媒体２６２は、一般に、以下に詳しく述べるように、溝２６８の方向に伝達される体液を受け入れるように、毛管溝２６８の基部と整合している。
【００２８】
次に図７を参照すると、形成されたテープ２７０は、切開開口部２８２を備えたハウジング２８０内に実装可能であり、該テープ２７０は、上述したように、供給リール２８４から保管リール２８６へ、リールツーリール伝達のために構成されている。テープ２７０は、図７の図面に示されているように一番外側、すなわちセンサー２９０に最も近接するように配置されている。したがって、本実施例では、検査媒体層２６０の一つの役割は、使用する前に検査媒体２６２をカバーおよび保護することにある。検査媒体層２６０は、ランセット２６６の先端もカバーし、テープ２７０が曲げられたときにランセット２６６によって穿孔されるように設計されている。このような穿孔を促進するため、検査媒体層２６０は、たとえばランセット２６６のアウトラインに沿って、レーザーカットによって形成された微細打ち抜き孔(microperforation)２６３をオプションにより具備する。図に示されている実施例では、センサー２９０は光学センサーであり、検査媒体２６２の信号(interrogation)を促進するために、検査媒体層２６０は、利用する波長を透過させる物質からなる。
【００２９】
テープ２７０の組み立てにおいて、ランセット層２７０のランセット２６６が基部層２５０から分離可能であり、テープ２７０が鋭利な曲部(sharp bend)の周囲に配置されると、該ランセットが検査媒体層２６０を通じて穿孔可能となるよう注意が必要である。したがって、テープ２７０は、順次ランセット２６６を提供し、提供されたランセット２６６を、上記のような実施例にしたがって切開開口部２８２を通じて作動させるのに利用される。
【００３０】
組織が一度切開されると、体液試料がランセット２６６の毛管溝２６８内に収集され、毛管現象の力が検査媒体２６２まで体液サンプルを引き込む。さらなる毛管現象の力が、ランセット２６６が検査媒体層２６０を通過して穿孔するときに形成される検査媒体層２６０の弁(flap)によって提供されてもよい。この弁（微細打ち抜き孔２６３に対応）は、切開後にランセット２６６と接触し、毛管溝２６８の少なくとも一部に着座して、検査媒体２６２に毛管溝２６８沿いに液体を搬送するためのウィッキング力(wicking force)を提供する。たとえば親水性の物質など、ウィッキング力を向上させる素材から、検査媒体層２６０はつくることができる。
【００３１】
検査媒体２６２に体液を接触させた後、検査媒体はつぎに光センサー２９０によって位置付けされる。適切なインターバルののちに、センサー２９０が、検査媒体層２６０を通じて検査媒体２６６を読み取る。つぎに、体液の少なくとも一つの特性を表す出力が、ＬＣＤ画面などディスプレイ（図示せず）上でユーザーに提示される。
【００３２】
変容として、上記のようにランセット層２６６の外側（すなわち図６の図面に関しては検査媒体層に向かいあっている側）上にランセット２６６を置くのではなく、あるいは、それに加えて、検査媒体２６２をランセット２６８の下側に配置してもよい。たとえば、搬送テープ２５０上に配置してもよく、搬送テープ２５０は、ランセットがテープ２７０から伸びでていないときに、ランセット２６６にたいてい隣接している。
【００３３】
別の態様が、図１１と図１２に示されている。図１１および図１２のテープは図６のテープ２７０と同じであり、さらにランセット層内の凹所２６５と、検査媒体層２６０内の通気開口部（vent opening）２６７と、デシカントスポット(dessicant spot)２６９が、検査媒体層２６０内に設けられている。凹所２６５は、毛管溝２６８（またはスロット）の基部にあり、検査媒体２６２の下側に配置されている。検査媒体２６２の下側のこの開口区域は、検査媒体２６２への体液の伝達を支援する。通気開口部２６７は、凹所２６５の一部に重なり、検査媒体２６２の毛細現象によるドージング時に脱気させることができる。デシカント材の一片を、オプションにより、スポット２６９（または、層２６０または２６４上の別の場所）に配置し、水分を吸収させ、検査媒体２６２の完全性(integrity)を確保してもよい。
【００３４】
さらに別の態様では、体液を組織から直接、すなわち毛管溝２６８を使用せずに、体液を収集する工程を有する。このような直接収集の場合、切開され、この時点で体液を滲み出している組織を検査媒体２６２に直接押し当てることができる。このような検査媒体２６２に適した場所は、テープ２７０の（図６の図面を基準として）いちばん上側の面上の箇所であり、このような箇所は、ランセット２６６から空間的に離れた場所に置かれるので、組織からテープ２７０への前記直接搬送のあいだに、汚染されたランセット２６６に誤って接触しない。
【００３５】
さらにもう１つの実施例では、ランセットとその関連する検査媒体が２００４年１月２９日に申請され、統合切開検査テストストリップ(Integrated Lancing Test Strip)という名称で公開されている米国特許出願公開第１０／７６７５２２号明細書に詳しく説明されているように、統合切開検査テストストリップの形式でテープ上に提供されている。
【００３６】
一般の医学的検査であって、本発明がそれのみではないが、とりわけ適用される医学的検査は、血糖値の測定である。血糖値は、血液の分析によって直接、あるいは間質液などの他の体液の分析によって間接的に判定可能である。糖尿病患者にたいしては、一般に糖尿病の症状と重篤度により、一日に数回血糖値を測定するよう指示が与えられる。測定された血糖値における観察されるパターンに基づいて、患者と医師は、投薬すべき適切な量のインスリンを判断し、食事、運動およびその他の要因を考慮する。
【００３７】
体液中の糖などの検体の存在に関する検査では、検査装置３００が、オキシダーゼ／ペロキシダーゼ検出化学を用いて発生する酸化／還元反応を活用できる。この形態では、検査媒体２６２が、適切な期間、体液試料に曝露され、検体（糖）が存在する場合には、色が変化する。通常、この変化の強度は、試料中の検体の濃度に比例する。センサー２９０は、試料中に存在する検体の量を判定するために既知の規格と試薬の色を比較するのに役立つ、選択された波長を操作する反射スペクトロフォトメーター(spectrophotometer)などの光センサーとすることができる。電気化学的装置およびその他の装置も採用可能である。採用した乾燥試薬化学が適切な場合には、検査媒体テープ２６３が、使用前の検査媒体２６２を滅菌状態に維持し、実質的に水分から隔離する。
【００３８】
図１〜７に示されている実施例は、テープと統合されているランセットに関するが、ランセットがテープと統合されず、テープから独立した切開のために作動するようなこれらの変容と他の実施例も予期される。このような実施例の一つが図８および図９に示されており、この場合ランセット３２８は、テープ３２２の全長に沿った縦長のスロット(longitudinal slot)３２６を形成している側面が持ち上がった一組の部材３２４間の搬送テープ３２２上に内蔵されている。ランセット３２８の鋭利な先端３３１は、はじめは滅菌カバー３３２の下に保護されており、ランセット３２８全体は、保持材３３０の断片によってカバーされている。部材３３０は、側面部材３２４に固定され、保持材３３０内の前後のアクセス開口部３４２および３４０によって暴露される部分のランセット３２８の保存場所をカバーする。検査媒体３６２は、ランセットの先端３３１付近のテープ３２２上に提供されている。
【００３９】
次に図９を参照すると、前述のリールツーリールの方法で、またはその他の何らかの適切な方法で、テープ内の屈曲部に隣接してランセット３２８を位置付けするために、テープ３２２が供給されている。つぎに、ピン３６２を備えたアクチベータ３６０が、ランセット３２８上の対応するスロットと連携して、滅菌カバー３３２からランセットを引っ込め、保持材の前面開口部３４２に先端３３１を送り込む。保持材によって束縛されなくなると、ランセット３２８の先端３３１が、図９に示されているように、作動位置に自由に伸展することができる。つぎにアクチベータ３６０が、指先として図に描かれている隣接組織３５０を切開するために、後ろ前の切開動作でランセット３２８を前送りおよび後ろに進展させる。つぎにアクチベータ３６０が、ランセット３２８を解放するが、保持材３２６の下側に少なくとも部分的にこれを残しておき、テープと使用済みランセット３２８は前に送られ保管される。このようにテープが送られるので、検査媒体３６２が、同時に開口部の隣接位置に位置付けされ、組織３５０から検査媒体３６２へ体液が直接搬送され、引き続く光リーダー(optical reader)３６６によって分析される。
【００４０】
組織３５０から検査媒体３６２への体液の直接搬送を促進するため、検査媒体３６２に指が接触するように、開口部３７０を使用者の指によって機械的に変形される塑性円錐として構造化可能である。別の方法として、またはこれに加えて、光リーダー３６６を直接の体液搬送を促進するために、開口部３７０の方向におよび／または内部に（すなわち図９の図面では上方向に）、テープ３２２を変位させるように適合可能である。
【００４１】
さらに別の形態では、試料をランセット３２８上の毛管溝（図示せず）を介して収集してもよい。この実施例では、アクチベータ３６０がランセット３２８を保持しているいっぽうで、テープ３２２を進め、その後でアクチベータ３６０が、検査媒体３６２に収集された体液を伝達するため、ランセット３２８を配置してもよい。他の収集機構では、あるいはランセットがもはや必要ない場合には、オプションによりアクチベータ３６０が、テープ３２２からランセット３２８を完全に除去し、これを廃棄位置へ移動させるか、あるいはアクチベータ３６０が、ランセット３２８を保持材３３０の下側に再配置してテープ３２２の保管区画に保管してもよい。
【００４２】
本明細書に記載の実施例は、本明細書に記載の動作の一部またはすべてを自動化したバッテリー電源の手持ち式器具に統合可能である。このように自動化された用具は、これらの分野でなされるように、適切なコントローラやユーザーインタフェース（一つまたは複数のボタンなど）とともに、テープを送り、ランセットをコッキングおよび／または発火させるため適切な電気モーターやソレノイドを備えることができる。
【００４３】
たとえば、図９の実施例を用いると、下記の工程の一つまたは複数を自動化できる。作動位置にランセットを位置付けするためのテープの送り、アクチベータとランセットの連動、体液試料を取得するためのランセットの作動、体液試料を受け取るための開口部に隣接した位置への検査媒体の位置付け、検査媒体への体液試料の接触（たとえば光リーダーを移動するなど）、光リーダーと検査媒体のデータ取得、結果の表示、使用済みランセットと検査媒体の保管区画への移動などである。
【００４４】
好ましい形態では、収集および検査サイクル全体が自動化され、用具の電源を使用者が入れ、プロンプトされた後、ボタンを押したときに始動する。収集および検査サイクルはまた、サイクルを通じて、使用者が介在するのを可能にし、たとえばある工程を繰り返したり、プロセスを停止させる。たとえば切開後に、自動化サイクルが、試料の検査を続行する前に、別のボタンを押すように使用者にプロンプト表示することができる。したがって、切開に失敗した場合に、使用者は、検査媒体を無駄にすることなく、用具が同じランセットを使用して再度切開するというオプションを提供することができる。
【００４５】
多数の従来型ランセットは一般に円筒形ニードル、すなわち縦方向の全長にわたり断面が円形であることを理解すべきである。この種の構造は、一般に、概して均質な剛性のランセットを提供する、すなわちすべての方向で等しく撓む。ただし、本発明で有効なランセットは、概して任意の形態をとることができ、保管位置にあるあいだはランセットがたわむことができ、作動位置にあるあいだは一般に直線であるように、少なくとも一つの方向で顕著な可撓性が存在するようにランセットを構造化したときに利点が達成されうる。この可撓性を達成するための一つのメカニズムとして、全長の少なくとも一部の断面が非円形であるようにランセットを構造化する方法がある。より詳細には、本発明の特定の実施例によるランセットの全長に沿った断面を実質的に非円形とし、より好ましくは高アスペクト比(high aspect ratio)すなわち少なくとも３のアスペクト比を持つようにすることができる。
【００４６】
この高アスペクト比の横断面構造の特定の例として、本明細書に示されているランセットは概して平面状であるか、または全長に沿った断面で矩形である。たとえば、図６のランセット２６６は、ほぼ等しい長さＬと幅Ｗを持っているが、長さＬと幅Ｗはともに、ランセットの（およびテープの）厚さよりかなり長い。同様に、図１に示されているランセット２８も平面状であるが、それらの全長沿いの高アスペクト比（すなわち厚さに対する幅の比）のほかに、ランセット２８は、高い長さ対幅の比を備えている。非平面状の輪郭、あるいはさまざまな平面状輪郭のランセットも、たとえば、ランセット２８または２６６の構造上の剛性を変更したり拡張したりする目的で、縦方向に伸びるリブなど、強化構造またはその他の特徴を提供することによって考案される。
【００４７】
ただし、一つの形態では、このように平面状とはまったく異なってはおらず、少なくともランセットのかなりの部分、つまり主要な面の少なくとも２５パーセントに沿っては、略平面である。他の形態では、ランセットの本体の主要な部分、すなわち約５０％が、実質的に平面状である。他の形態では、平面状の部分が、ランセットの少なくとも一つの主要な面の少なくとも７０％を構成している。
【００４８】
任意の好適な材料または材料の組み合わせからランセットおよびテープを構造化可能である。たとえば、ランセットテープは、市販されている３１６ステンレススチール完全ハードシムストック(stainless steel full hard shim stock)や金属、プラスチックまたはプラスチック複合材から構造化された他の好適な薄膜ホイルなど、硬化ステンレススチールから構造化可能である。テープストックの好適な厚さは約１〜１０ミルのあいだとすることができる。ランセットは、形状記憶合金またはその他の超可塑剤で構造化することができる。好適な形状記憶合金は、ニッケルチタン合金またはたとえば商標名ＦＬＥＸＩＮＯＬとして、米国カリフォルニア州コスタメッサのＤＹＮＡＬＬＯＹ社によって提供されているニッケルチタン合金すなわちニチロールがあげられる。一つの形態では、ニチロールは約５５％のニッケルと４５％のチタニウムで構成されている。
【００４９】
スタンピング、フォトエッチング、レーザーカッティングおよび／またはその他の方法を採用して、テープブランク(tape blank)からランセットを生成し、鋭いかつ／または傾斜した(beveled edge)端を、ランセット上におよびオプションで毛管チャネル上に形成することができる。あるいは、ランセットを好適なキャリアテープ上に金属を堆積させることによって形成可能である。一つの実施例では、ランセットは、たとえばプラスチック製ランセット本体に鋭利な金属製の先端を接着することによって二種類の材料から作成されている。ランセットは、作動位置にあるときに大きな局面を持たないように、供給リール内での巻き取りから大きく歪むことを回避するように構造化することが好ましい。形状記憶合金や硬化ステンレススチールの使用などといった材料特性の選択は、望ましくない屈曲を緩和したり回避したりするための一つのメカニズムである。あるいはまたはこれに加えて、切開する前に残留する局面を補正するための手段を提供することができる。たとえば、テープが一組のフラットニングローラーを通過し、および／または、切開開口部（４２、１４２、２４２、２８２、３７０）を、ランセットがそこを通過するときに概して平坦な方向にランセットを誘導するよう成形することができる。
【００５０】
前述のように、使用前にランセットを無菌状態にしておくことが望ましい。無菌状態を維持するための一つの有効なメカニズムとして、図８に関して上に説明した滅菌カバー３３２などの滅菌カバーの使用があげられる。次に図１０に戻ると、ランセット上に滅菌カバーを提供するためのもう一つの変容が示されている。図１０には、取り外しカバー４２２を保持している点以外、図１のランセット２０と同じであるようなランセット４２０供給源が描かれている。カバー４２２は、テープ２２に接着され、少なくとも片面で、供給リール２４内にあるときには好ましくは両面で、ランセット２８を保護する。テープ２２が送られてランセット２８が作動位置に来るにともない、テークアップリール４２４がテープ２２からカバー４２２を剥ぎ取り、下にあるランセット２８を暴露させる。カバー４２２は、ローラー４２６と４２８によって形成されるテープの経路にしたがった後で、再適用リール４３０によってテープ２２上に再配置される。テープ２２上に再配置された後に、カバーとテープは保管リール２６上に巻き取られる。
【００５１】
供給リール２４内のランセットを遮蔽することによって、カバー４２２は、使用前にランセットの滅菌性を保護する。さらに、保管リール２６内の使用済みランセットを遮蔽することによって、カバー４２２が、用具４２０内の汚染の広がりを防止する。これらの両役割を果たすため、一つの連続カバー４２２を使用すると設計上の効率が存在するいっぽうで、各種カバーを利用してもよいということは理解されよう。より詳細には、１つの変容では、カバー４２２はテークアップリール４２４から再適用リール４３０まで引っ張り出されるわけではない。むしろ２つの独立したカバーが使用され、最初のカバーはテークアップリール４２４と共に除去され、第２の異なるカバーはリール４３０と共に利用される。
【００５２】
カバー４２２は、滅菌保護にとって好適なように構造化することができるが、ランセット２８の鋭利な先端３１によって損傷を受けないだけ十分な強度を備えていなくてはならない。カバー４２２に好適な材料には、ポリエチレンテレフタラート、ポリエステル、ポリプロピレン、ナイロンなどの合成物質や各種プラスチック、紙および／または金属シートの組み合わせがある。好ましくは、カバー４２２はランセットの先端３１の付近に孔やカットアウトをもたない。図に示されている実施例では、カバーは、その全長の大部分に沿って孔やカットアウトのない実質的に連続したテープとして構成されている。
【００５３】
使用前にランセットを暴露させるために剥がされ、および／または使用後には使用済みランセットを遮蔽するために適用される滅菌カバー４２２の使用は図１のランセットの構造と関連して図に明確に示されているが、同じ滅菌カバー４２２を本明細書に記載の別の構成のどれかおよび当技術分野の当業者にとって明らかなような別の構成で使用することができる。
【００５４】
本発明は、図面および前述の記述で詳細に図示および説明してきたが、本発明は、図解することを考慮したもので、その内容に制限は加えていない。特定の実施例だけを表示し、記述しており、本明細書に記載した本発明の精神の範囲内のすべての変更、等価および修正は保護することが望まれる。たとえば、同じ搬送テープ上でランセットとして検査媒体が統合されている統合切開および検査用具について記述している一方で、検査媒体は、たとえば出願公開１０／１６４８２８号明細書、２００２／０１８８２２４号明細書に記載されているようなテストストリップのカセットとして、たとえば構成化されたランセット搬送テープとは独立させることができる。
【００５５】
本明細書に記載されている実験、実験例または実験結果は、本発明を説明することを目的としており、本発明の対象範囲に関する制限や限界を考慮するものではない。さらに、本明細書に記載されている理論、動作原理、証拠または発見は、本発明の理解をさらに高めることを意味しており、このような理論、動作原理、証拠または発見に対しいかなる方法でも本発明を制限することを目的とはしていない。このように、本説明や付属の図面の特異性を、その特異性に対し本発明の対象範囲を制限するものであると解釈してはならない。
【００５６】
むしろ、本発明の対象範囲は、本明細書に付属の請求項を参照して評価すべきである。請求項を参照する際には、「１つ」、「少なくとも一つ」および「少なくとも一部」といった用語を用いるときには、請求項内で特に反対に述べていないかぎり一つの項目に請求項を制限することを意味しているわけではない。さらに、特に、その逆を述べていないかぎり、請求項には「少なくとも一つの要素」および／または「一部」一部および／または項目全体を含む。最後に、本明細書に記載のすべての文献、特許および特許申請書は、それぞれがあたかもその全体を特に、さらには個別に参照することによって本書に取り込むよう指定されているかのように、本開示と矛盾していない範囲まで参照することによって、本書に取り込まれている。
【図面の簡単な説明】
【００５７】
【図１】リール対リール式のランセット供給源の斜視図である。
【図２】図１のランセットを用いた多目的切開用具の斜視図である。
【図３】もう１つの実施例による、多目的切開用具の断面図である。
【図４】図３の多目的切開用具の側面図である。
【図５】もう１つの実施例による、多目的切開用具の断面図である。
【図６】もう１つの実施例による、統合テストストリップ付きのテープの組み立て図である。
【図７】図６の統合テストストリップ付きのテープを採用した、多目的切開用具の断面図である。
【図８】さらにもう１つの実施例による、ランセットを装備したテープの斜視図である。
【図９】図８のテープを採用した多目的切開用具の断面図である。
【図１０】カバーを取り外した、図１のランセット供給源の斜視図である。
【図１１】もう１つの実施例による、統合テストストリップ付きテープの組み立て図である。
【図１２】図１１のテープの一断面の頂面図である。
【図１】
2007535388.tif 000003
【図２】
2007535388.tif 000004
【図３】
2007535388.tif 000005
【図４】
2007535388.tif 000006
【図５】
2007535388.tif 000007
【図６】
2007535388.tif 000008
【図７】
2007535388.tif 000009
【図８】
2007535388.tif 000010
【図９】
2007535388.tif 000011
【図１０】
2007535388.tif 000012
【図１１】
2007535388.tif 000013
【図１２】
2007535388.tif 000014
【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
少なくとも１つの屈曲部が搬送テープの作動区画に存在するところの全長をもち、供給区画と、保管区画と、該供給区画と該保管区画とのあいだの前記作動区画とを画定している搬送テープと、
ランセットの全長のかなりの部分の断面が非円形であり、おのおののランセットが近位部と遠位部と該全長を備え、該遠位部が搬送テープの該供給区画内にあるときに体液で汚染されていない鋭利な先端を備えている、テープの該全長に沿って搬送される複数のランセットと、
を具備した体液を採取するための多目的用具であり、
前記搬送テープの前記供給区画内のランセットが、搬送テープを基準として保管位置にあり、
前記搬送テープの前記作動区画内の前記屈曲部に隣接しているランセットが、前記搬送テープを基準として作動位置にあり、
前記作動位置は、体液標本を取得するため組織を切開できるよう、前記搬送テープの隣接表面から離れた方向に、前記鋭利な先端部を伸ばし、
前記テープの送りによって、前記供給区画から前記動作区画に搬送されるときに、前記ランセットの近位部が該ランセットの鋭利な先端に先行するように、前記ランセットが前記搬送テープ上に配向されている
ことを特徴とする体液を採取するための多目的用具。
【請求項２】
前記保管位置にあるランセットが撓み、前記作動位置におけるランセットが略直線をなすことを特徴とする請求項１記載の用具。
【請求項３】
前記搬送テープが、その全長に沿って中心線を形成し、前記ランセットが、前記搬送テープの中心線に略平行である前記搬送テープのスロット内に、スライド可能に配置されることを特徴とする請求項１記載の用具。
【請求項４】
搬送テープ上を搬送される複数の検査媒体をさらに具備し、少なくとも１つの検査媒体が複数のランセットのおのおのと連合されること特徴とする請求項１記載の用具。
【請求項５】
ランセット開口部を備えた、供給リールと保管リールとを内蔵するハウジングと、
前記供給リールから前記保管リールへ、リールツーリール形式で搬送できるように構成されている長い可撓性搬送テープと、
それぞれがランセットの全長と、鋭利な先端を形成している遠位部とを備えている、前記テープの部材に沿って順次配置された複数のランセットと、
を具備した多目的切開用具であり、
前記ランセット上のかなりの部分の断面が非円形をなし、
前記ランセットの少なくとも前記遠位部が、搬送テープを基準としてランセット保管位置からランセット作動位置に移動可能であり、
前記供給リールの周囲に巻き付いているときには、ランセットが前記保管位置にあり、
前記供給リールと前記保管リールとのあいだで、前記搬送テープの屈曲部に隣接しているときには、前記ランセットが前記作動位置にあり、
前記作動位置にあるランセットの前記鋭利な先端が、前記搬送テープから間隔をあけて置かれ、前記ハウジングの前記切開開口部の方向を向いている
ことを特徴とする多目的切開用具。
【請求項６】
供給リールから保管リールへ、リールツーリール形式で搬送できるように構成された、前記供給リールと、前記保管リールと、前記搬送テープ、および、
おのおのが、長さが長く鋭利な先端をもつ本体を有する複数のランセットと、
を具備するランセット供給源であって、
おのおののランセットの本体のかなりの部分の断面が非円形をなしており、
前記搬送テープ沿いに前記ランセットが間隔を開けて配置され、前記ランセットが前記保管リール上に送られたときに、おのおののランセットの前記本体の少なくとも一部が前記ランセットの前記先端をリードできるように該ランセットの先端が配置される
ことを特徴とするリールツーリール形式のランセット供給源。
【請求項７】
切開開口部を形成する前記切開開口部に隣接した搬送テープの作動区画に、体液で汚染されていないランセットを含む供給リールから、複数のランセットを順次運搬するよう構成された搬送テープを内蔵しているハウジングを具備した多目的用具であり、
前記ランセットのおのおのが、鋭利な先端をもつ遠位部を備え、
前記おのおののランセットの全長のかなりの部分の断面が、非円形をなしており、
前記ランセットが前記搬送テープ上に配置され、前記ランセットの近位部が、前記供給リールから前記作動位置に前記遠位部をリードする
ことを特徴とする体液を採取するための多目的用具。
【請求項８】
前記ランセットが前記テープ部材上にスライド可能なように配置されていることを特徴とする請求項７記載の多目的採取用具。
【請求項９】
前記全長の主要な部分に沿った断面が非円形をなしている複数のランセットを搬送するリールツーリールテープを提供する工程と、
第１のランセットの鋭利な先端が、前記テープを送ることにより、前記テープから間隔を開けて配置されるように、第１のランセットを前記テープ内の屈曲部に隣接して位置付けする工程と、
前記第１のランセットの前記鋭利な先端で組織に孔を開ける工程と、
孔を開けた後に、前記テープを送り、前記第１のランセットの前記鋭利な先端を前記テープに接近させる工程と
を有することを特徴とする体液標本を取得するための方法。
【請求項１０】
テープのサービスループ部内の屈曲部に隣接した位置に、前記テープによって搬送される第１のランセットを配置する工程と、
前記テープの前記サービスループ部を相対的に移動させ、前記第１のランセットで組織を切開する工程と
を有することを特徴とする体液標本を取得するための方法。
【請求項１１】
前記相対的移動が、旋回部材を旋回させる工程を含むことを特徴とする請求項１０記載の方法。
【請求項１２】
全長の主要な部分沿いの断面が非円形をなしている複数のランセットを搬送するテープを提供する工程と、
前記テープのサービスループ部を相対的に移動することによって第１のランセットで組織を切開する工程と、
を有することを特徴とする体液標本を取得するための方法。
【請求項１３】
少なくとも１つの屈曲部を形成するテープの経路に沿ってテープによって搬送される滅菌ランセット供給源を具備した用具であって、
おのおののランセットがその全長を基準として、さまざまな方向にさまざまな可撓度をもってなるように、前記ランセットが該全長と、その全長に沿った非円形の断面とを有し、
前記屈曲部に隣接したランセットが、組織を切開できるように、前記テープから略直線的に伸びており、
前記屈曲部に隣接していないランセットが、コンパクトに保管できるように、非直線的方向に撓む
ことを特徴とする組織を切開するための用具。
【請求項１４】
テープ上にランセット供給源を有する多目的切開用具を提供する工程と、
撓んだ方向から略直線方向に第１のランセットを移動させる工程と、
前記略直線方向の第１のランセットで、組織を切開する工程と、
後続の切開を行えるように、撓んだ方向から略直線方向に第２のランセットを移動させる工程と
を有する方法。
【請求項１５】
弁の素材が、前記ランセットの第１の側面に接触し、毛管溝の少なくとも一部を遮蔽しており、縦方向に伸びた毛管溝を形成する前記第１の側面を有するランセットを提供する工程と、
体液の少なくとも１つの特性を判定できるように、前記弁の下の毛管現象によって、前記体液を検査媒体まで搬送する工程と、
を有することを特徴とする体液標本の特性を判定するための方法。
【請求項１６】
相互に接続したランセット供給源と、検査媒体供給源と、少なくとも１つのボタンとを具備した手持ち式器具を供給する工程と、
少なくとも１つのボタンを押して、自動化体液収集および検査サイクルを開始する工程と、
プロンプトに応答して少なくとも１つのボタンを押して、前記サイクルを続行する工程と、
を有する方法であって、
前記自動化サイクルが、
ａ）ランセットを前記ランセット供給源から作動位置へ配置する工程と、
ｂ）前記体液標本を取得できるように、前記ランセットを作動させる工程と、
ｃ）前記体液標本が受け入れられるように、前記検査媒体供給源から検査媒体を配置する工程と、
ｄ）前記検査媒体に前記体液標本を接触させる工程と、
ｅ）前記検査媒体に信号を送る工程と、
ｆ）前記信号に基づいて、前記体液標本の少なくとも１つの特性を表示する工程と、
を有することを特徴とする方法。
【請求項１７】
搬送テープの作動区画に少なくとも１つの屈曲部を有する全長をもち、供給区画と、保管区画と、該供給区画と該保管区画とのあいだの前記作動区画とを形成する搬送テープと、
ランセットの全長のかなりの部分の断面が非円形状をなしており、それぞれのランセットが近位部と、遠位部と、前記全長とを備え、該遠位部が前記搬送テープの前記供給区画にあるときには、体液で汚染されていない鋭利な先端を有してなる前記テープの前記全長に沿って搬送される複数のランセットと、
前記搬送テープの前記供給区画内にあるランセット上の取り外し可能カバーと、
を具備する多目的切開用具であって、
前記ランセットが前記テープの送りによって前記供給区画から前記作動区画へ搬送されるときに、該ランセットの前記近位部が該ランセットの鋭利な先端に先行するよう、前記ランセットが前記搬送テープ上に配向されている
ことを特徴とする体液を採取するための多目的切開用具。
【請求項１８】
ランセット開口部を備え、供給リールと保管リールとを内蔵したハウジングと、
前記供給リールから前記保管リールへリールツーリール形式の搬送向けに構成された長い可撓性搬送テープと、
おのおのが、ランセットの全長と、鋭利な先端を形成している遠位部とを備えた前記搬送テープに沿って順次配置されている複数のランセットと、
前記供給リール内の前記ランセット上の前記取り外し可能な滅菌カバーと、
前記ランセットが前記供給リールから前記保管リールへ送られるときに、前記ランセットから前記カバーを取り外すテークアップリールと、
を具備していることを特徴とする多目的切開用具。
【請求項１９】
供給リールと、保管リールと、前記供給リールから前記保管リールへのリールツーリール形式での搬送向けに構成された搬送テープと、
前記供給リールに巻き付き、非直線方向に撓む第１のランセットと、
前記供給リールと前記保管リールとのあいだの、略直線方向をなす前記搬送テープ上の第２のランセットと、
少なくとも前記第１のランセット上にあって前記第２のランセット上には無い取り外し可能カバーと、
を具備することを特徴とするリールツーリール形式でのランセット供給源。
【請求項２０】
切開開口部を形成し、体液で汚染されていないランセットを内蔵する供給リールから前記切開開口部に隣接している前記搬送テープの作動区画に複数のランセットを順次搬送するように構成された搬送テープを内蔵したハウジングと、
前記供給リールの前記ランセット上の取り外し可能カバーと、
を具備した体液標本を採取するための多目的用具であって、
該ランセットがおのおのの遠位部に鋭利な先端を備え、おのおののランセットの全長のかなりの部分の断面が非円形であり、
前記ランセットが、近位部が、前記供給リールから前記作動区画に前記遠位部をリードできるように、前記搬送テープ上に配置されている
ことを特徴とする体液標本を採取するための多目的用具。
【請求項２１】
全長の主要な部分に沿った断面が非円形をなす複数のランセットを搬送するリールツーリール形式のテープを提供する工程と、
第１のランセットから滅菌カバーを取り除く工程と、
前記テープから間隔を置いて配置された前記第１のランセットの鋭利な先端をもつ前記テープ内の屈曲部に隣接して、前記第１のランセットを配置できるよう前記テープを送る工程と、
前記第１のランセットの前記鋭利な先端で組織に孔を開ける工程と、
該孔を開けた後に、前記第１のランセットの前記鋭利な先端を前記テープの近くまで移動させるように送る工程と、
を有することを特徴とする体液標本を採取するための多目的用具。
【請求項２２】
テープによって搬送される第１のランセットから滅菌カバーを取り外す工程と、
前記テープのサービスループ部内の屈曲部に隣接して前記第１のランセットを配置する工程と、
前記第１のランセットで組織を切開できるように、前記テープの前記サービスループ部を相対的に移動させる工程と、
を有することを特徴とする体液標本を取得するための方法。
【請求項２３】
前記ランセット供給源の１つの少なくとも先端が、滅菌カバーの下に置かれ、少なくとも１つの屈曲部を形成しているテープの経路に沿って、テープによって搬送される滅菌ランセット供給源を具備し、
前記ランセットが全長をもち、おのおののランセットがそれら全長を基準としてさまざまな方向に、実質的にさまざまな可撓度をもつよう、該全長に沿った断面が非円形をなしており、
前記屈曲部に隣接したランセットが、組織を切開できるように、前記テープから略直線的に伸びており、
前記屈曲部に隣接していないランセットが、コンパクトに保管できるように、非直線方向に撓む
ことを特徴とする組織を切開するための用具。
【請求項２４】
ランセット供給源の少なくとも１つの先端が滅菌カバーの下に置かれるように、テープ上に該ランセット供給源を備える多目的用具を提供する工程と、
撓んだ方向から略直線方向に第１のランセットを移動させる工程と、
略直線方向を向いた前記第１のランセットで組織を切開する工程と、
後続の切開工程のため撓んだ方向から略直線方向に第２のランセットを移動させる工程と、
を有する方法。
【国際調査報告】
2007535388.tif 000015
2007535388.tif 000016
2007535388.tif 000017
2007535388.tif 000018